(57)【特許請求の範囲】
【請求項１】
電力配電線を固定する端子部と、前記端子部を介して前記電力配電線から供給される電力の消費電力量を演算する演算部と、不正行為による異常を検出する異常検出部とを有する電力量計において、
前記端子部を覆うための端子カバーが開いた状態か否かを検出する端子カバー状態検出部と、
前記端子部に対して電力が供給されているか否かを検出する通電状態検出部と、
前記端子カバー状態検出部による検出結果と前記通電状態検出部による検出結果とに基づき前記異常検出部による異常検出動作のオン／オフを制御する制御部と、
を備えることを特徴とする電力量計。
【請求項２】
前記制御部は、前記端子カバー状態検出部により前記端子カバーが閉じた状態であると検出され、且つ前記通電状態検出部により前記端子部に対して電力が供給された状態であると検出された場合に前記異常検出部による異常検出動作をオンさせることを特徴とする請求項１記載の電力量計。
【請求項３】
前記制御部は、前記端子カバー状態検出部により前記端子カバーが閉じた状態であると検出され、且つ前記通電状態検出部により前記端子部に対して電力が供給された状態であることが所定時間以上継続して検出された場合に前記異常検出部による異常検出動作をオンさせることを特徴とする請求項１記載の電力量計。
【請求項４】
前記制御部は、外部入力に基づき前記異常検出部による異常検出動作のオン／オフを制御することを特徴とする請求項１乃至請求項３のいずれか１項記載の電力量計。
【請求項５】
電力配電線を固定する端子部と、前記端子部を介して前記電力配電線から供給される電力の消費電力量を演算する演算部と、不正行為による異常を検出する異常検出部とを有する電力量計において、
前記端子部を覆うための端子カバーが開いた状態か否かを検出する端子カバー状態検出部と、
前記端子部に対して電力が供給されているか否かを検出する通電状態検出部と、
前記端子カバー状態検出部による検出結果と前記通電状態検出部による検出結果とに基づき前記異常検出部により検出された検出結果を外部に出力するか否かを制御する制御部と、
を備えることを特徴とする電力量計。
【発明の詳細な説明】
【技術分野】
【０００１】
本発明は、被測定系の使用電力量を測定する電力量計に関する。
【背景技術】
【０００２】
電力量計は、電力会社からの電力が導かれる電源側電線と、一般家庭や工場、事業所等の需要家側に電力を導く負荷側電線との間に介在し、需要家の電気使用量を計量する。電力量計により計量された電気使用量は、電力会社と需要家との間で電力料金の取引に用いられる。したがって、電力量計は、配線変更等の不正行為による盗電を防止するための対策が必要とされる。
【０００３】
電力量計は、通常、電力会社から供給される電力を受電するための配電線を固定する端子部を有しており、当該端子部は、端子カバーにより覆われている。この端子カバーは、端子部に対して電気的な絶縁を施すとともに、封印部材による封印等を行い盗電防止の役割を有する。
【０００４】
しかしながら、人間が定期的に封印の状態を確認する方式を採用した電力量計は、封印を破壊して盗電等の不正行為が行われた場合に、これを発見するまでに時間を要するという欠点がある。さらに、偽装再封印された場合は、不正行為が発見され難いという問題があるため、不正行為を自動的に検知する様々な方法が提案されている。
【０００５】
特許文献１には、入力端子と性能試験及び誤差試験のために配設された試験用端子とを接続する接続部材を固定する締付ねじが不正行為等により緩められたときに、異常を通知するとともに適正に電力の使用量を計測できる電子式電力量計が記載されている。この電子式電力量計は、入力端子の電圧を検出する電圧検出部と、入力端子に接続部材を介して接続された試験用端子の電圧を検出する試験用端子電圧検出部と、この試験用端子電圧検出部で検出した電圧と入力端子から出力端子に流入する電流に基づいて電力量を演算する電力演算部と、電圧検出部で検出した電圧および試験用端子電圧検出部で検出した電圧を演算し夫々の実効値を算出する電圧演算部と、この電圧演算部で算出した夫々の実効値の電圧差を判定し電圧差が所定の電圧以上のときに判定信号を出力する判定部とを備える。
【０００６】
この電子式電力量計によれば、入力端子電圧検出部で検出した電圧および試験用端子電圧検出部で検出した電圧を演算し夫々の実効値を算出する電圧演算部と、この電圧演算部で算出した夫々の実効値の電圧差を比較し電圧差が所定の電圧以上のときに判定信号を出力する判定部とを備えたので、入力端子と試験用端子との間に電位差が発生したときに、締付ねじの緩み等により接触状態が悪いと判断できるため、盗電等を目的とした不正行為による締付ねじの緩み等の異常を検出することができる。
【特許文献１】特開２００６−３１７１６６号公報
【発明の開示】
【発明が解決しようとする課題】
【０００７】
しかしながら、上述したような計器に対する悪戯や不正行為を自動的に検出する機能を有する電力量計は、計器取付時や検針時に電力量計本体に対して作業員による作業が行われる場合においても、不正が行われたとの誤検出・誤動作を生じる可能性が懸念される。
【０００８】
本発明は上述した従来技術の問題点を解決するもので、不正検出機能のオン／オフあるいは不正検出に対する異常表示や報知等の機能のオン／オフを制御し、不正検出機能による誤検出・誤動作を防止する電力量計を提供することを課題とする。
【課題を解決するための手段】
【０００９】
本発明に係る電力量計は、上記課題を解決するために、電力配電線を固定する端子部と、前記端子部を介して前記電力配電線から供給される電力の消費電力量を演算する演算部と、不正行為による異常を検出する異常検出部とを有する電力量計において、前記端子部を覆うための端子カバーが開いた状態か否かを検出する端子カバー状態検出部と、前記端子部に対して電力が供給されているか否かを検出する通電状態検出部と、前記端子カバー状態検出部による検出結果と前記通電状態検出部による検出結果とに基づき前記異常検出部による異常検出動作のオン／オフを制御する制御部とを備えることを特徴とする。
【発明の効果】
【００１０】
本発明によれば、当該電力量計が有する不正検出機能の動作あるいは不正検出に対する異常表示や報知等の機能の動作を制御し、不正検出機能による誤検出・誤動作を防止することができる。
【発明を実施するための最良の形態】
【００１１】
以下、本発明の電力量計の実施の形態を、図面に基づいて詳細に説明する。
【実施例１】
【００１２】
以下、本発明の実施例について図面を参照しながら説明する。図１は本発明の実施例１の電力量計１内に設けられた回路部１０のブロック図であり、図２は電力量計１を側面から見た透視図である。
【００１３】
まず、本実施の形態の構成を説明すると、本実施の形態に係る電力量計１内に設けられた回路部１０は、図１に示すように、使用量検出部１１、検出部１２、制御部１３、表示部１４、報知部１５、通信部１６、記憶部１７、計時部１８、及び操作部１９で構成されている。
【００１４】
また、図２に示すように、本実施例の電力量計１は、図１に示す回路部１０を内部に有する。さらに、電力量計１は、電力供給会社からの電力配電線や需要家への電力配電線を固定する端子部を有している。
【００１５】
端子カバー２０は、端子部と面する側面にゴム等の絶縁物を貼った金属板等により構成され、端子部を覆う。その際に、端子カバー２０は、端子カバー２０を貫通する固定用ネジ２２をネジ穴３０に螺合することにより固定される。
【００１６】
また、突起部２４は、端子カバー２０の端子部に面する側に設けられ、樹脂材料等により構成され、端子カバー２０が電力量計１の端子部を覆って固定された際に電力量計１に設けられたスイッチ３２を押す。スイッチ３２は、押された際に、端子カバー２０が閉じた状態であることを示す信号を生成する。
【００１７】
なお、上記実施形態においては、突起部２４は端子カバー２０の端子部に面する側に設ける場合について説明したが、これに限定されるものではなく、任意の方向に突起部２４を設けてもスイッチ３２が押される状態が形成されれば良い。
【００１８】
また、端子カバー２０は、ゴム等の絶縁物を貼った金属板等の場合について説明したが、合成樹脂製としても良い。
【００１９】
使用量検出部１１は、端子部に接続され、アナログ−デジタル変換器等からなる電力量検出装置により構成され、外部から供給される電圧及び負荷側で使用される電流を検出し、乗算し電力量を示す電力量信号を生成する。また、使用量検出部１１は、本発明の通電状態検出部に対応し、端子部に対して電力が供給されているか否かを検出する。
【００２０】
検出部１２は、本発明の端子カバー状態検出部に対応し、端子部を覆うための端子カバー２０が開いた状態か否かを検出する。具体的には、検出部１２は、スイッチ３２に接続され、スイッチ３２により生成された信号に基づき端子カバー２０が開いた状態か否かを検出する。また、検出部１２は、本発明の異常検出部に対応し、電力量計１に対する不正行為による異常を検出する。この検出部１２による異常検出機能は、必要に応じて動作／停止（すなわちオン／オフ）の切り換えが可能である。本実施例において作業員以外の第三者が端子カバー２０を開ける行為は、不正行為であるものとする。したがって、検出部１２は、異常検出機能がオンであり、且つ端子カバー２０が開けられた場合に、不正行為が行われたとして異常を検出する。
【００２１】
制御部１３は、本発明の演算部に対応し、端子部及び使用量検出部１１を介して電力配電線から供給される電力の消費電力量を演算する。具体的には、制御部１３は、マイクロコンピュータ等により構成され、使用量検出部１１により生成された電力量信号に基づいて消費電力量を演算する。
【００２２】
また、制御部１３は、検出部１２により検出された端子カバー２０が開いた状態か否かに関する検出結果と、使用量検出部１１により検出された端子部に対して電力が供給されているか否かに関する検出結果とに基づき、検出部１２による異常検出動作のオン／オフを制御する。具体的には、制御部１３は、検出部１２により端子カバー２０が閉じた状態であると検出され、且つ使用量検出部１１により端子部に対して電力が供給された状態（通電状態）であると検出された場合に、検出部１２による異常検出動作をオンさせる。
【００２３】
また、制御部１３は、外部入力に基づき検出部１２による異常検出動作のオン／オフを制御することもできる。ここで、外部入力とは、後述する通信部１６や操作部１９を介して外部の作業員等により入力された情報である。
【００２４】
さらに、制御部１３は、検出部１２の異常検出動作の機能がオンされており且つ検出部１２により電力量計１に対する不正行為による異常が検出された際に、異常である旨の信号を表示部１４や報知部１５に出力する。
【００２５】
表示部１４は、液晶表示器等により構成され、制御部１３により演算された需要家の使用電力量を表示する。また、表示部１４は、制御部１３により出力された異常である旨の信号に基づき生じた異常に関する情報を表示する。
【００２６】
報知部１５は、例えばブザーやランプ等により構成され、制御部１３により出力された異常である旨の信号に基づき異常発生時に警報信号を外部に発する。
【００２７】
通信部１６は、例えばシリアル信号送受信回路等により構成され、図示しない外部の通信機能付きハンディターミナル等の機器と通信を行う。作業員等は、通信部１６を介して、検出部１２による異常検出動作をオンさせることもできる。なお、オン状態である検出部１２による異常検出動作をオフさせることは、容易にできない構成とする。第三者により異常検出動作をオフされてしまうと、盗電等の不正行為を見逃す結果となるからである。そこで、例えば、作業員等は、通信部１６を介して、事前に定められた電文を送信することにより、検出部１２による異常検出動作をオフさせることができる。
【００２８】
記憶部１７は、ＲＡＭのような半導体メモリにより構成され、需要家の使用電力量、検出部１２による異常検出機能のオン／オフ情報、その他必要な情報を記憶する。
【００２９】
計時部１８は、時間を計時し、制御部１３に出力する。
【００３０】
操作部１９は、作業員等が外部から操作可能なスイッチやボタンあるいはキーボード等である。作業員等は、操作部１９を介して、検出部１２による異常検出動作のオン／オフを設定することもできる。なお、オン状態である検出部１２による異常検出動作をオフさせることは、上述したように容易にできない構成である必要がある。そこで、例えば、操作部１９は、計器内部のスイッチ（検定封印内スイッチ）により構成され、検定封印を解かない限り操作が不可能な構成とすることができる。
【００３１】
図３は、本実施例の形態の電力量計１の制御部１３における異常検出動作の設定処理を示すフローチャート図である。図３を参照し実施例１に係る電力量計１の異常検出動作の設定処理を説明する。
【００３２】
まず、制御部１３は、異常検出動作制御フラグがオフであるか否かを判断する（ステップＳ１０１）。この異常検出動作制御フラグは、記憶部１７により記憶されており、検出部１２による異常検出機能の現時点における設定状態を示す。最初に電力量計１が製造された時点（すなわち電力量計１の運用開始前）において、当該異常検出動作制御フラグは、「オフ」に設定されており、記憶部１７に「オフ」である旨の情報が記憶されている。
【００３３】
制御部１３は、記憶部１７に記憶された情報を読み出し、異常検出動作制御フラグが「オン」であれば何も行わず、検出部１２による異常検出動作が継続される。
【００３４】
制御部１３は、ステップＳ１０１において、異常検出動作制御フラグが「オフ」であると判断した場合には、次に通電中か否かを判断する（ステップＳ１０３）。ここで、制御部１３は、使用量検出部１１により端子部に対して電力が供給された状態（通電状態）ではないと検出された場合には、何も行わない。
【００３５】
一方、制御部１３は、ステップＳ１０３において使用量検出部１１により端子部に対して電力が供給された状態（通電状態）であると検出された場合には、端子カバー２０が閉じた状態か否かを判断する（ステップＳ１０５）。ここで、制御部１３は、検出部１２により端子カバー２０が開いた状態であると検出された場合には、何も行わない。
【００３６】
ステップＳ１０５において、検出部１２により端子カバー２０が閉じた状態であると検出された場合には、制御部１３は、異常検出動作制御フラグをオンにする（ステップＳ１０７）。具体的には、制御部１３は、検出部１２による異常検出動作をオンさせるとともに、記憶部１７に異常検出動作制御フラグをオンとして記憶させる。
【００３７】
検出部１２は、制御部１３により異常検出動作をオンに設定されると異常検出動作を開始し、端子カバー２０が開けられた場合に、不正行為が行われたとして異常を検出する。
【００３８】
したがって、本実施例において検出部１２は、異常検出動作をオフに設定されている間は端子カバー状態検出部として動作し、異常検出動作をオンに設定された後は異常検出部として動作する。これは１例であり、「端子カバー状態検出部」と「異常検出部」とは、別個に構成されていてもよい。
【００３９】
例えば、異常検出部は、特許文献１に記載されているような、締付ねじの緩みに起因する接触状態の悪化を電圧により検出するものでもよい。すなわち、本発明における「異常検出部」は、電力量計１に対する不正行為による異常を検出する機能を有するものであれば何でもよい。本発明における重要な点は、制御部１３により「異常検出部」による異常検出動作のオン／オフを制御できる点にある。
【００４０】
本実施例における電力量計１は、図３に示すフローチャートの動作を一定間隔で繰り返す。したがって、電力量計１は、端子カバー２０が開いた状態か又は通電されていない状態においては異常検出動作を行わず、作業員により設置作業が完了し、端子カバー２０が閉められて通電が開始された時（運用開始時）に異常検出動作を開始する。また作業員等は、上述したように、通信部１６又は操作部１９を介して、検出部１２による異常検出動作を開始させることもできる。
【００４１】
図４は、本実施例の形態の電力量計１の異常検出動作を示すフローチャート図である。まず、制御部１３は、異常検出動作制御フラグがオンであるか否かを判断する（ステップＳ２０１）。制御部１３は、記憶部１７に記憶された情報を読み出し、異常検出動作制御フラグが「オフ」であれば何も行わない。
【００４２】
制御部１３は、ステップＳ２０１において、異常検出動作制御フラグが「オン」であると判断した場合には、次に不正行為による異常検出があるか否かを判断する（ステップＳ２０３）。ここで制御部１３は、検出部１２による異常検出が無い場合には、何も行わない。
【００４３】
制御部１３は、端子カバー２０が開けられて検出部１２により異常が検出された場合には、異常である旨の信号を表示部１４や報知部１５に出力する。
【００４４】
表示部１４は、制御部１３により異常である旨の信号が入力されると、当該異常に関する情報を表示する（ステップＳ２０５）。
【００４５】
また報知部１５は、制御部１３により出力された異常である旨の信号に基づき異常発生時に警報信号を外部に発する。
【００４６】
また制御部１３は、異常検出の際に、異常である旨の信号を通信部１６を介して外部機器に出力する構成でもよい。
【００４７】
上述のとおり、本発明の実施例１の形態に係る電力量計１によれば、端子カバー２０の開閉状態と通電状態とに基づき検出部１２による異常検出動作のオン／オフを制御するので、計器取付等の作業員による作業時において異常検出動作機能をオフにし、異常検出機能による誤検出・誤動作を防止することができる。
【００４８】
また、電力量計１は、端子カバー２０が閉じた状態で且つ通電状態である場合に、検出部１２による異常検出動作をオンさせるので、計器取付等の作業員による作業が終了後に確実に異常検出動作機能をオンにし、運用開始後に異常検出を行うことができる。
【００４９】
また、制御部１３は、外部入力に基づき検出部１２による異常検出動作のオン／オフを制御することができるので、作業員等は、通信部１６又は操作部１９を介して、検出部１２による異常検出動作を開始させることもできる。
【実施例２】
【００５０】
次に、本発明の実施例２の電力量計について説明する。本実施例の形態に係る電力量計の構成は、図１及び図２に示した実施例１の電力量計の構成と基本的に同じである。ただし、制御部１３は、検出部１２により端子カバー２０が閉じた状態であると検出され、且つ使用量検出部１１により端子部に対して電力が供給された状態（通電状態）であることが所定時間以上継続して検出された場合に、検出部１２による異常検出動作をオンさせる。
【００５１】
その他の構成は、実施例１と同様であり、重複した説明を省略する。
【００５２】
図５は、本実施例の形態の電力量計１の制御部１３における異常検出動作の設定処理を示すフローチャート図である。図５を参照し実施例２に係る電力量計１の異常検出動作の設定処理を説明する。
【００５３】
まず、制御部１３は、異常検出動作制御フラグがオフであるか否かを判断する（ステップＳ３０１）。この異常検出動作制御フラグは、記憶部１７により記憶されており、検出部１２による異常検出機能の現時点における設定状態を示す。最初に電力量計１が製造された時点（すなわち電力量計１の運用開始前）において、当該異常検出動作制御フラグは、「オフ」に設定されており、記憶部１７に「オフ」である旨の情報が記憶されている。
【００５４】
制御部１３は、記憶部１７に記憶された情報を読み出し、異常検出動作制御フラグが「オン」であれば、検出部１２による異常検出動作が継続される。その際に、制御部１３は、フラグ切替タイマーをストップする（ステップＳ３１７）。ここで、フラグ切替タイマーとは、後述するステップＳ３０９においてスタートした時からの経過時間を制御部１３が記憶部１７等に記録したものである。制御部１３は、計時部１８により計時された時間情報を得るとともに、必要に応じて時間情報を記憶部１７に書き出しあるいは読み出すことにより、フラグ切替タイマーを作動させることができる。なお、ステップＳ３１７においてフラグ切替タイマーがもともと作動していない場合には、制御部１３は、何も行わない。
【００５５】
ステップＳ３１７においてフラグ切替タイマーをストップした後、制御部１３は、フラグ切替タイマーをクリアする（ステップＳ３１９）。例えば、現時点においてフラグ切替タイマーが作動しており、制御部１３は、フラグ切替タイマーが作動し始めてから２分が経過した旨の情報を記憶部１７に記憶させていたとする。ステップＳ３１９において、制御部１３は、フラグ切替タイマーをクリアするために、記憶部１７に記憶された情報を消去し、フラグ切替タイマーの値を０秒として記憶部１７に記憶させる。
【００５６】
制御部１３は、ステップＳ３０１において、異常検出動作制御フラグが「オフ」であると判断した場合には、次に通電中か否かを判断する（ステップＳ３０３）。ここで、制御部１３は、使用量検出部１１により端子部に対して電力が供給された状態（通電状態）ではないと検出された場合には、上述したように、フラグ切替タイマーをストップし（ステップＳ３１７）、フラグ切替タイマーをクリアする（ステップＳ３１９）。
【００５７】
一方、制御部１３は、ステップＳ３０３において使用量検出部１１により端子部に対して電力が供給された状態（通電状態）であると検出された場合には、端子カバー２０が閉じた状態か否かを判断する（ステップＳ３０５）。ここで、制御部１３は、検出部１２により端子カバー２０が開いた状態であると検出された場合には、上述したように、フラグ切替タイマーをストップし（ステップＳ３１７）、フラグ切替タイマーをクリアする（ステップＳ３１９）。
【００５８】
ステップＳ３０５において、検出部１２により端子カバー２０が閉じた状態であると検出された場合には、制御部１３は、フラグ切替タイマーが作動中であるか否かを判断する（ステップＳ３０７）。フラグ切替タイマーが作動中でない場合には、制御部１３は、フラグ切替タイマーをスタートする（ステップＳ３０９）。したがって、フラグ切替タイマーをスタートさせてからの経過時間は、制御部１３により定期的に記憶部１７に記憶される。
【００５９】
ステップＳ３０７においてフラグ切替タイマーが作動中であると判断された場合か又はステップＳ３０９にてフラグ切替タイマーをスタートさせた場合には、制御部１３は、フラグ切替タイマーが作動し始めてから所定時間が経過したか否かを判断する（ステップＳ３１１）。ここで所定時間とは、制御部１３に予め設定された時間であり、作業員等が作業を完全に終了し、作業員による作業を不正行為と誤検出する心配が無いと考えられる時間である。したがって、制御部１３は、例えば５分から１０分程度の時間を所定時間として予め設定していてもよいし、数十秒程度の時間でもよい。制御部１３は、通信部１６又は操作部１９を介した外部入力により当該所定時間の設定を変更可能とする構成でもよい。
【００６０】
ステップＳ３１１においてフラグ切替タイマーが作動し始めてから所定時間が経過していないと判断された場合に、制御部１３は、端子カバー２０が開けられたか否かを判断する（ステップＳ３１３）。端子カバー２０が開けられた場合には、制御部１３は、フラグ切替タイマーをストップし（ステップＳ３１７）、フラグ切替タイマーをクリアする（ステップＳ３１９）。すなわち、制御部１３は、一旦フラグ切替タイマーがスタートした場合であっても、端子カバー２０が開けられた場合には、タイマーのカウントをストップしてやり直すこととなる。
【００６１】
ステップＳ３１１においてフラグ切替タイマーが作動し始めてから所定時間が経過したと判断された場合に、制御部１３は、異常検出動作制御フラグをオンにする（ステップＳ３１５）。具体的には、制御部１３は、検出部１２による異常検出動作をオンさせるとともに、記憶部１７に異常検出動作制御フラグをオンとして記憶させる。
【００６２】
検出部１２は、制御部１３により異常検出動作をオンに設定されると異常検出動作を開始し、端子カバー２０が開けられた場合に、不正行為が行われたとして異常を検出する。
【００６３】
本実施例における電力量計１は、図５に示すフローチャートの動作を一定間隔で繰り返す。したがって、電力量計１は、端子カバー２０が開いた状態か又は通電されていない状態においては異常検出動作を行わず、作業員により設置作業が完了し、端子カバー２０が閉められて通電が開始されてから所定時間が経過した時（運用開始時）に異常検出動作を開始する。
【００６４】
電力量計１の検出部１２における異常検出動作は、実施例１で説明した図４に示すフローチャート図と同様であり、重複した説明を省略する。
【００６５】
上述のとおり、本発明の実施例２の形態に係る電力量計１によれば、実施例１の効果に加え、端子カバー２０が閉じた状態で且つ通電状態となってから所定時間経過後に、検出部１２による異常検出動作をオンさせるので、計器取付等の作業員による作業が確実に終了した後に異常検出動作機能をオンにし、運用開始後の異常検出を行うことができる。また、当該所定時間の長さを調節することにより、本実施例における電力量計１は、作業員の作業内容に応じて異常検出動作を開始するタイミングを制御することができる。
【実施例３】
【００６６】
次に、本発明の実施例３の電力量計について説明する。本実施例の形態に係る電力量計の構成は、図１及び図２に示した実施例１の電力量計の構成と基本的に同じである。ただし、制御部１３は、端子カバー状態検出部としての検出部１２による検出結果と通電状態検出部としての使用量検出部１１による検出結果とに基づき、異常検出部としての検出部１２により検出された検出結果を外部に出力するか否かを制御する。
【００６７】
具体的には、制御部１３は、検出部１２により端子カバー２０が閉じた状態であると検出され、且つ使用量検出部１１により端子部に対して電力が供給された状態（通電状態）であることが所定時間以上継続して検出された場合に、異常検出部としての検出部１２による検出結果を外部に出力する。
【００６８】
その他の構成は、実施例１と同様であり、重複した説明を省略する。
【００６９】
図６は、本実施例の形態の電力量計１の制御部１３における異常検出動作の設定処理を示すフローチャート図である。図６を参照し実施例３に係る電力量計１の異常検出動作の設定処理を説明する。
【００７０】
まず、制御部１３は、異常表示制御フラグがオフであるか否かを判断する（ステップＳ４０１）。この異常検出動作制御フラグは、記憶部１７により記憶されており、異常表示機能の現時点における設定状態を示す。最初に電力量計１が製造された時点（すなわち電力量計１の運用開始前）において、当該異常表示制御フラグは、「オフ」に設定されており、記憶部１７に「オフ」である旨の情報が記憶されている。
【００７１】
制御部１３は、記憶部１７に記憶された情報を読み出し、異常表示制御フラグが「オン」であれば、検出部１２により検出された異常検出結果が表示部１４の画面上に表示される。その際に、制御部１３は、フラグ切替タイマーをストップする（ステップＳ４１７）。このフラグ切替タイマーは、実施例２で説明したものと同様であり、重複した説明を省略する。
【００７２】
ステップＳ４１７においてフラグ切替タイマーをストップした後、制御部１３は、フラグ切替タイマーをクリアする（ステップＳ４１９）。
【００７３】
制御部１３は、ステップＳ４０１において、異常表示制御フラグが「オフ」であると判断した場合には、次に通電中か否かを判断する（ステップＳ４０３）。ここで、制御部１３は、使用量検出部１１により端子部に対して電力が供給された状態（通電状態）ではないと検出された場合には、上述したように、フラグ切替タイマーをストップし（ステップＳ４１７）、フラグ切替タイマーをクリアする（ステップＳ４１９）。
【００７４】
一方、制御部１３は、ステップＳ４０３において使用量検出部１１により端子部に対して電力が供給された状態（通電状態）であると検出された場合には、端子カバー２０が閉じた状態か否かを判断する（ステップＳ４０５）。ここで、制御部１３は、検出部１２により端子カバー２０が開いた状態であると検出された場合には、上述したように、フラグ切替タイマーをストップし（ステップＳ４１７）、フラグ切替タイマーをクリアする（ステップＳ４１９）。
【００７５】
ステップＳ４０５において、検出部１２により端子カバー２０が閉じた状態であると検出された場合には、制御部１３は、フラグ切替タイマーが作動中であるか否かを判断する（ステップＳ４０７）。フラグ切替タイマーが作動中でない場合には、制御部１３は、フラグ切替タイマーをスタートする（ステップＳ４０９）。したがって、フラグ切替タイマーをスタートさせてからの経過時間は、制御部１３により定期的に記憶部１７に記憶される。
【００７６】
ステップＳ４０７においてフラグ切替タイマーが作動中であると判断された場合か又はステップＳ４０９にてフラグ切替タイマーをスタートさせた場合には、制御部１３は、フラグ切替タイマーが作動し始めてから所定時間が経過したか否かを判断する（ステップＳ４１１）。
【００７７】
ステップＳ４１１においてフラグ切替タイマーが作動し始めてから所定時間が経過していないと判断された場合に、制御部１３は、端子カバー２０が開けられたか否かを判断する（ステップＳ４１３）。端子カバー２０が開けられた場合には、制御部１３は、フラグ切替タイマーをストップし（ステップＳ４１７）、フラグ切替タイマーをクリアする（ステップＳ４１９）。
【００７８】
ステップＳ４１１においてフラグ切替タイマーが作動し始めてから所定時間が経過したと判断された場合に、制御部１３は、異常表示制御フラグをオンにする（ステップＳ４１５）。具体的には、制御部１３は、検出部１２による異常検出結果の表示機能をオンさせるとともに、記憶部１７に異常表示制御フラグをオンとして記憶させる。異常表示制御フラグがオンの間において、制御部１３は、検出部１２により異常が検出された際に異常を検出した旨を表示部１４に表示させ、あるいは報知部１５に警報信号等を出力させる。
【００７９】
一方、異常表示制御フラグがオフの間は、検出部１２により異常が検出されたとしても、制御部１３は、異常が検出された旨の情報を表示部１４や報知部１５を介して外部に出力しない。したがって、外見上の電力量計１の動作は、実施例２と同様である。しかしながら、異常表示制御フラグがオフの間も検出部１２による異常検出動作は行われているので、制御部１３は、例えば計時部１８による時刻情報とともに異常検出結果を記憶部１７に記憶させることもできる。
【００８０】
本実施例における電力量計１は、図６に示すフローチャートの動作を一定間隔で繰り返す。したがって、電力量計１は、端子カバー２０が開いた状態か又は通電されていない状態においては異常検出結果の表示等を行わず、作業員により設置作業が完了し、端子カバー２０が閉められて通電が開始されてから所定時間が経過した時（運用開始時）に異常検出結果の表示を開始する。
【００８１】
図７は、本実施例の形態の電力量計１の異常検出結果表示の動作を示すフローチャート図である。まず、制御部１３は、不正行為による異常検出があるか否かを判断する（ステップＳ５０１）。ここで制御部１３は、検出部１２による異常検出が無い場合には、何も行わない。
【００８２】
制御部１３は、ステップＳ５０１において、検出部１２による異常検出があると判断した場合には、異常表示制御フラグがオンであるか否かを判断する（ステップＳ５０３）。制御部１３は、記憶部１７に記憶された情報を読み出し、異常表示制御フラグが「オフ」であれば何も行わない。
【００８３】
制御部１３は、ステップＳ５０３において、異常表示制御フラグが「オン」であると判断した場合には、異常である旨の信号を表示部１４や報知部１５、あるいは通信部１６を介して外部機器に出力する。
【００８４】
表示部１４は、制御部１３により異常である旨の信号が入力されると、当該異常に関する情報を表示する（ステップＳ５０５）。
【００８５】
また報知部１５は、制御部１３により出力された異常である旨の信号に基づき異常発生時に警報信号を外部に発する。
【００８６】
上述のとおり、本発明の実施例３の形態に係る電力量計１によれば、実施例１，２の効果に加え、端子カバー２０が閉じた状態で且つ通電状態となってから所定時間経過後に、検出部１２による異常検出結果の表示を開始するので、計器取付等の作業員による作業が確実に終了した後（運用開始後）の異常検出のみを出力することができる。また、異常検出結果を表示しない設定（異常表示制御フラグがオフ）の間も検出部１２による異常検出が行われているので、必要に応じて記憶部１７に記憶された異常検出の記録を確認することもできる。
【産業上の利用可能性】
【００８７】
本発明に係る電力量計は、被測定系の使用電力量を測定するとともに、盗電等を目的とする不正行為による異常を検出する手段を備えた電力量計に利用可能である。
【図面の簡単な説明】
【００８８】
【図１】本発明の実施例１の形態の電力量計内に設けられた回路部のブロック図である。
【図２】本発明の実施例１の形態の電力量計を側面からみた透視図である。
【図３】本発明の実施例１の形態の電力量計の制御部における異常検出動作の設定処理を示すフローチャート図である。
【図４】本発明の実施例１の形態の電力量計の異常検出動作を示すフローチャート図である。
【図５】本発明の実施例２の形態の電力量計の制御部における異常検出動作の設定処理を示すフローチャート図である。
【図６】本発明の実施例３の形態の電力量計の制御部における異常検出動作の設定処理を示すフローチャート図である。
【図７】本発明の実施例３の形態の電力量計の異常検出結果表示の動作を示すフローチャート図である。
【符号の説明】
【００８９】
１      電力量計
１０    回路部
１１    使用量検出部
１２    検出部
１３    制御部
１４    表示部
１５    報知部
１６    通信部
１７    記憶部
１８    計時部
１９    操作部
２０    端子カバー
２２    固定用ネジ
２４    突起部
３０    ネジ穴
３２    スイッチ
【図１】
0005117914.tif 000002
【図２】
0005117914.tif 000003
【図３】
0005117914.tif 000004
【図４】
0005117914.tif 000005
【図５】
0005117914.tif 000006
【図６】
0005117914.tif 000007
【図７】
0005117914.tif 000008